(57)【要約】【課題】新規なゲージ付キャップ連を提供すること。【解決手段】ゲージ付キャップ７１は、キャップ部７２とゲージ部とを備えている。ゲージ部は、ヘッダー１１においてパイプが差し込まれる継手部２２に収容され、当該継手部２２へのパイプの差込量を示す。キャップ部７２は、継手部２２の差込口を覆う。ゲージ付キャップ連７１Ｒは、ゲージ付キャップ７１を複数備え、当該複数のゲージ付キャップ７１は互いのキャップ部７２において連結されて一連となっている。【選択図】図１
2017101705.tif 000002
【特許請求の範囲】
【請求項１】
パイプ継手においてパイプが差し込まれる継手部に収容され、当該継手部へのパイプの差込量を示すゲージ部と、前記継手部の差込口を覆うキャップ部とを備えたゲージ付キャップを複数備え、当該複数のゲージ付キャップを互いの前記キャップ部において連結したことを特徴とするゲージ付キャップ連。
【請求項２】
前記複数のゲージ付キャップにおいて互いの前記キャップ部は、脆弱部を介して連結されていることを特徴とする請求項１に記載のゲージ付キャップ連。
【発明の詳細な説明】
【技術分野】
【０００１】
本発明は、パイプ継手に用いられるゲージ付キャップ連に関する。
【背景技術】
【０００２】
特許文献１には、ゲージ部とキャップ部とを備えたゲージ付キャップが開示されている。ゲージ部は、パイプ継手においてパイプが差し込まれる継手部に収容され、当該継手部へのパイプの差込量を示している。キャップ部は、継手部の差込口を覆って、パイプ継手の内部に塵埃等が入り込むことを防止する。
【０００３】
そして、前記継手部へのパイプの差込時には、当該継手部からゲージ付キャップを取り外し、当該ゲージ付キャップのゲージ部をパイプに宛がって、当該パイプに対して目印を付与する。この目印を利用して継手部へパイプを差し込めば、当該継手部へのパイプの差込量は好適なものとなる。
【先行技術文献】
【特許文献】
【０００４】
【特許文献１】特開２０１３−１６７３２６号公報
【特許文献２】特開２００４−２０４６５９号公報
【発明の概要】
【発明が解決しようとする課題】
【０００５】
ところが、前記ゲージ付キャップを、ヘッダー工法で用いられるヘッダー（特許文献２参照）に装着した場合、当該ヘッダーが多数の継手部を有することから、装着数が多くなる。したがって、施工時においてヘッダーからゲージ付キャップを取り外す手間が多くなるし、取り外したゲージ付キャップが施工現場等に散乱しがちとなる問題があった。
本発明の目的は、新規なゲージ付キャップ連を提供すること。
【課題を解決するための手段】
【０００６】
上記目的を達成するために請求項１の発明のゲージ付キャップ連は、パイプ継手においてパイプが差し込まれる継手部に収容され、当該継手部へのパイプの差込量を示すゲージ部と、前記継手部の差込口を覆うキャップ部とを備えたゲージ付キャップを複数備え、当該複数のゲージ付キャップを互いの前記キャップ部において連結したことを特徴とする。
【０００７】
また、請求項２の発明のゲージ付キャップ連は、前記複数のゲージ付キャップにおいて互いの前記キャップ部は、脆弱部を介して連結されていることを特徴とする。
【発明の効果】
【０００８】
本発明によれば、複数のゲージ付キャップをまとめて取り扱うことができるため、例えばヘッダーからのゲージ付キャップの取り外しが容易となるし、当該取り外し後にゲージ付キャップが散乱することを防止できる。
【図面の簡単な説明】
【０００９】
【図１】本発明のゲージ付キャップ連が装着されたヘッダーを示す斜視図。
【図２】継手部の要部拡大断面図。
【図３】各継手部にパイプが差し込まれた状態を示すヘッダーの斜視図。
【図４】継手部の要部拡大断面図。
【図５】（ａ）〜（ｃ）はゲージ付キャップにおけるゲージ部の使用方法を説明する図。
【発明を実施するための形態】
【００１０】
以下、本発明を具体化した一実施形態について説明する。
（ヘッダーの説明）
図１及び図３は、給水配管や給湯配管をヘッダー工法で施工する際に用いられる、パイプ継手としてのヘッダー１１を示している。当該ヘッダー１１は、中空棒状をなすヘッダー本体１２と、流入側のパイプ１０１が接続される継手部２１と、流出側のパイプ１０２が接続される継手部２２とを備えている。当該ヘッダー１１は、流出側の継手部２２を５つ備えた所謂５連タイプのものである。なお、パイプ１０１及びパイプ１０２は、ポリブテンや架橋ポリエチレン等の合成樹脂製である。
【００１１】
前記流入側の継手部２１は、ヘッダー本体１２のＬ字形をなす第一端部１２ａに設けられている。流出側の継手部２２のうち、４つはヘッダー本体１２の外周面において長手方向に沿って等間隔で設けられ、残り１つはヘッダー本体１２の第二端部１２ｂに設けられている。各継手部２１、２２の内部は、それぞれヘッダー本体１２の内部を介して相互に連通されている。各継手部２１、２２は、互いに同様なパイプ継手構造を有している。
【００１２】
図２及び図４に示すように、前記継手部２１、２２の内部には、内筒部３１及び外筒部３２が同軸位置に突設されている。内筒部３１と外筒部３２との間の空間は、パイプ１０１、１０２が差し込まれる差込空間３３をなしている。内筒部３１の内側の空間は、ヘッダー本体１２（図１参照）の内部に連通されており、当該ヘッダー本体１２との間で湯水が流通する流路３６をなしている。外筒部３２の内周面には内側段差部３２ａが形成され、当該内周面において内側段差部３２ａよりも外端側（図２及び図４の上方側）には外側段差部３２ｂが形成されている。外側段差部３２ｂには中間リング３４が係止されている。
【００１３】
前記差込空間３３において中間リング３４と内側段差部３２ａとの間には、シールリング３５が配置されている。シールリング３５は、差込空間３３にパイプ１０１、１０２が差し込まれると、当該パイプ１０１、１０２の外周面と外筒部３２の内周面とに密着して両者間をシールする。差込空間３３にはガイドリング４８が配置されている。ガイドリング４８は、パイプ１０１、１０２が差込空間３３に差し込まれていないときには、中間リング３４とシールリング３５との間に配置された状態となっている（図２参照）。
【００１４】
この状態で、前記パイプ１０１、１０２が差込空間３３に差し込まれ、当該パイプ１０１、１０２の端面によってガイドリング４８が押圧されることで、当該ガイドリング４８がパイプ１０１、１０２を先導して差込空間３３を移動する。そして、ガイドリング４８は、シールリング３５を通過する際に当該シールリング３５の内径を拡大し、後に続くパイプ１０１、１０２がシールリング３５をスムーズに通過することを補助する（図４参照）。
【００１５】
前記外筒部３２の外周面には、環状をなす係止凸部３７が、継手部２１、２２の軸線方向に間隔をおいて二つ形成されている。外筒部３２の外周面には、合成樹脂製の蓋体３８が嵌められている。蓋体３８の内周面には、環状をなす係止凹部３９が、継手部２１、２２の軸線方向に間隔をおいて二つ形成されている。蓋体３８は、係止凹部３９が外筒部３２の係止凸部３７に挿入係合されることで、当該外筒部３２に連結されている。蓋体３８の先端部は縮径され、当該縮径部位の内周面には、先端ほど縮径するテーパー面４０が形成されている。
【００１６】
前記蓋体３８の外周面には、環状の取付溝３８ａが形成されている。蓋体３８の外周面には保持リング４７が嵌められ、当該保持リング４７の端部は蓋体３８の取付溝３８ａに係止されている。保持リング４７は、蓋体３８を締め付けることで、当該蓋体３８が外筒部３２から抜け出すことを防止する。
【００１７】
前記外筒部３２と蓋体３８との間には、金属製のロックリング４２が配置されている。ロックリング４２の内周部には、複数の抜け止め片４２ａが内端側へ傾斜するように突出形成されている。中間リング３４と蓋体３８との間には、支持リング４３が配置されている。ロックリング４２と蓋体３８との間には、割リング４４が配置されている。割リング４４の内端部は、抜け止め片４２ａの基端部を外端側から当接支持して、当該抜け止め片４２ａの傾斜角度を保持する。
【００１８】
前記ロックリング４２は、支持リング４３と割リング４４とにより外周部が挟持されている。ロックリング４２は、差込空間３３に差し込まれたパイプ１０１、１０２に引抜き力が作用したとき、当該パイプ１０１、１０２の外周面に抜け止め片４２ａが食い込むことで、当該パイプ１０１、１０２の継手部２１、２２からの抜け出しを防止する。
【００１９】
前記割リング４４において外端部の外周面には、外端側ほど縮径するテーパー面４５が形成されている。当該テーパー面４５は、蓋体３８のテーパー面４０に当接されている。蓋体３８のテーパー面４０において外端側の領域は、パイプ１０１、１０２が継手部２１、２２に差し込まれていないときには、割リング４４のテーパー面４５に接触しないようになっている。
【００２０】
前記割リング４４の内周面には、締付面４６が形成されている。差込空間３３に差し込まれたパイプ１０１、１０２に引抜き力が作用したとき、ロックリング４２を介して割リング４４が外端側へと移動し、当該割リング４４はテーパー面４５が蓋体３８のテーパー面４０に案内されることで縮径する。したがって、割リング４４は、締付面４６を介してパイプ１０１、１０２を締め付けて、当該パイプ１０１、１０２の継手部２１、２２からの抜け出しを防止する。
【００２１】
（ゲージ付キャップの説明）
次に、前記ヘッダー１１に装着されるゲージ付キャップ７１について説明する。
図１及び図２並びに図５（ａ）〜図５（ｃ）に示すように、前記ゲージ付キャップ７１は、ポリプロピレン等の合成樹脂により一体成形されてなる。ゲージ付キャップ７１は、円板状をなすキャップ部７２を備えている。キャップ部７２は、継手部２１、２２の差込口２１ａ、２２ａを覆って、ヘッダー１１の内部に塵埃等が入り込むことを防止する。キャップ部７２において外周縁の一部には、板状でかつ平面視三角形状をなす把持部７４が、径方向の外方へ突出形成されている。
【００２２】
前記キャップ部７２の一側面７２ａには、一対の規制突起７５が垂直方向へ突出形成されている。各規制突起７５の先端部には、係合凸部７５ａが径方向の外方へ突出形成されている。各規制突起７５は、ゲージ付キャップ７１が継手部２１、２２に装着された際、係合凸部７５ａが蓋体３８のテーパー面４０に当接係合して、継手部２１、２２からのゲージ付キャップ７１の抜け出しを防止する。
【００２３】
前記キャップ部７２において一側面７２ａの中央部には、ゲージ部７３が垂直方向へ突出形成されている。ゲージ部７３においてキャップ部７２の一側面７２ａから当該ゲージ部７３の先端面７３ａまでの長さは、継手部２１、２２の差込空間３３に対する、パイプ１０１、１０２の好適な差込量を示す。ゲージ部７３は、ゲージ付キャップ７１が継手部２１、２２に装着される際、当該継手部２１、２２に対して差込口２１ａ、２２ａから挿入されて流路３６に収容される。
【００２４】
図５（ａ）〜図５（ｃ）に示すように、前記ゲージ部７３は横断面円弧状をなしている。ゲージ部７３において円弧の半径は、パイプ１０１、１０２の外径に対応した大きさとなっている。したがって、ゲージ部７３は、キャップ部７２の一側面７２ａをパイプ１０１、１０２の端面に宛がったときに、当該パイプ１０１、１０２の外周面に沿うこととなる。この状態で、ゲージ部７３の先端面に沿ってマーカー等を動かせば、パイプ１０１、１０２の外周面に対して、継手部２１、２２への好適な差込量を示す目印線２０１を描くことが可能である。
【００２５】
さて、図１に示すように、本実施形態においては、前記流出側の継手部２２のうち、ヘッダー本体１２の長手方向に沿って配置された４つについて、これらに装着される合計４つのゲージ付キャップ７１が一連をなしている（以下、ゲージ付キャップ連７１Ｒとする）。
【００２６】
すなわち、この４つの継手部２２に装着されるゲージ付キャップ連７１Ｒは、隣接するゲージ付キャップ７１が、互いのキャップ部７２において一体に連結されている。この連結は、一方のゲージ付キャップ７１の把持部７４が、三角形状の頂点部分つまり肉細な脆弱部７４ａを以て、隣接するゲージ付キャップ７１のキャップ部７２に対して、当該キャップ部７２における把持部７４以外の外周縁に接続されることで行われている。このように、隣接するゲージ付キャップ７１の連結に把持部７４を利用することで、当該連結のための専用の部位を必要としないため、ゲージ付キャップ７１の形状を簡素化できる。
【００２７】
前記ヘッダー１１の施工時には、作業者が把持部７４を持って引っ張ることにより、各継手部２１、２２に装着されたゲージ付キャップ７１を取り外す。このとき、特にゲージ付キャップ連７１Ｒについては、複数のゲージ付キャップ７１をまとめて取り扱うことができるため、ヘッダー１１からのゲージ付キャップ７１の取り外しが容易となるし、当該取り外し後にゲージ付キャップ７１が施工現場等で散乱することを防止できる。
【００２８】
ここで、前記流入側の継手部２１には、前述したゲージ付キャップ連７１Ｒとは別体をなすゲージ付キャップ７１が装着されている。また、流出側の継手部２２のうち、ヘッダー本体１２の第二端部１２ｂに設けられた１つには、前述したゲージ付キャップ連７１Ｒとは別体をなすゲージ付キャップ７１が装着されている。
【００２９】
図示しないが、これらゲージ付キャップ連７１Ｒとは別体のゲージ付キャップ７１は、ヘッダー１１の製造工程において、対応する継手部２１、２２に対して装着されるまでは、ゲージ付キャップ連７１Ｒや他のヘッダー１１に装着されるゲージ付キャップ７１とともに一連をなして、例えば巻回体や格子状体として準備されている。
【００３０】
そして、当該一連のゲージ付キャップ７１から必要な数だけ分断して、前述した別体のゲージ付キャップ７１として、またはゲージ付キャップ連７１Ｒとして、対応する継手部２１、２２に対して装着される。この分断には脆弱部７４ａが利用されるため、ニッパー等の工具での切断、或いは作業者による引き千切り等での破断を容易に行うことができる。
【００３１】
（別例）
上記実施形態は例えば次のように変更してもよい。
○異なるサイズのゲージ付キャップ７１を組み合わせてゲージ付キャップ連７１Ｒを構成すること。このようにすれば、例えば異なるサイズのパイプが接続されるヘッダーにも簡単に対応することができる。
【００３２】
○隣接するゲージ付キャップ７１の連結に把持部７４を利用せず、専用の部位を形成して当該部位を連結に用いること。
【００３３】
○把持部７４に伸縮性を持たせれば、ヘッダー１１に装着される全てのゲージ付キャップ７１を一連とすることができる。
○継手部２２の差込空間３３にゲージ部７３が収容されるように構成すること。
【符号の説明】
【００３４】
１１…パイプ継手としてのヘッダー、２２…継手部、２２ａ…差込口、７１…ゲージ付キャップ、７１Ｒ…ゲージ付キャップ連、７２…キャップ部、７３…ゲージ部、７４ａ…脆弱部、１０２…パイプ。
【図１】
2017101705.tif 000003
【図２】
2017101705.tif 000004
【図３】
2017101705.tif 000005
【図４】
2017101705.tif 000006
【図５】
2017101705.tif 000007